(57)【要約】【課題】ダクト用換気扇の組立性の向上や修理時の交換等の容易化を図る。【解決手段】天井に形成した開口から天井裏に突出して取り付けられてダクトが接続される下部開口の本体ケース２内に、モータ３によって駆動されるファン４を備えたダクト用換気扇１において、前記モータ３を取り付けた取付板１２を、本体ケース２の下部開口７側から挿入して本体ケース２の上面に載置するようにして取り付け可能な取付開口１５を本体ケース天板１４に形成した。【選択図】        図１
2004286360.tif 000002
【特許請求の範囲】
【請求項１】
天井に形成した開口から天井裏に突出して取り付けられてダクトが接続される下部開口の本体ケース内に、モータによって駆動されるファンを備えたダクト用換気扇において、
前記モータを取り付けた取付板を、本体ケースの下部開口側から挿入して本体ケースの上面に載置するようにして取り付け可能な取付開口を本体ケース天板に形成したことを特徴とするダクト用換気扇。
【請求項２】
前記取付開口周縁に一対の対向する挟持部を設け、この挟持部と本体ケース上面との間に前記取付板を挟持するようにしたことを特徴とする請求項１記載のダクト用換気扇。
【請求項３】
前記取付開口周縁に前記取付板を所定位置に位置決め規制する規制部を設けたことを特徴とする請求項１又は請求項２記載のダクト用換気扇。
【請求項４】
前記取付板を前記取付開口周縁に下方からネジ等によって取り付けるための取付部を非対称位置に形成したことを特徴とする請求項１ないし請求項３のいずれかに記載のダクト用換気扇。
【請求項５】
前記取付板の前記規制部側の端部に切込みを設けると共に、この切込みに嵌合するリブを前記規制部側に形成したことを特徴とする請求項３記載のダクト用換気扇。
【請求項６】
前記取付板を前記取付開口周縁に下方からネジ等によって取り付けるための取付部をファンの軸心から見てファンの外方に設けたことを特徴とする請求項１ないし請求項５のいずれかに記載のダクト用換気扇。
【請求項７】
前記取付板には制御部品が取り付けられることを特徴とする請求項１ないし請求項６のいずれかに記載のダクト用換気扇。
【発明の詳細な説明】
【０００１】
【発明の属する技術分野】
本願発明は、天井に形成した開口から天井裏に突出して取り付けられてダクトが接続される下部開口の本体ケース内に、モータによって駆動されるファンを備えたダクト用換気扇に関するものである。
【０００２】
【従来の技術】
従来、例えば下記特許文献１に開示されたダクト用換気扇は、下方を開口する本体ケース内に、モータで駆動されるファンとこのファンを囲繞するファンケーシングとを設け、本体ケースの下部開口を吸気孔が形成されたグリルで覆い、本体ケースの排気口が形成された側面に、ダクトが接続されるダクト接合部を有するダクト接続板を着脱自在に設け、天井に形成した開口から天井裏に突出して取り付けられている。
【０００３】
【特許文献１】
特開平６−２０７７３３号公報（図１）
【０００４】
【発明が解決しようとする課題】
上述したダクト用換気扇は、モータを取り付けるための取付板が、天井に形成した開口から天井裏に突出して取り付けられる本体ケースの上面に上方から載置するようにして取り付けられ、その後でファンやファンケーシングを本体ケース下部開口の下方から取り付けなければならないため、組み立てが大変であると共に、修理時には本体ケースを天井から取り外さなければモータを取り外すことができない。このため、組み立てや修理時の交換等の手間がかかるという課題が生じていた。
【０００５】
そこで、本願発明はこのような課題を解決するためになされたものであり、ダクト用換気扇の組立性の向上や修理時の交換等の容易化を図ることを目的とするものである。
【０００６】
【課題を解決するための手段】
上記のような目的を達成するために、本願発明は、天井に形成した開口から天井裏に突出して取り付けられてダクトが接続される下部開口の本体ケース内に、モータによって駆動されるファンを備えたダクト用換気扇において、前記モータを取り付けた取付板を、本体ケースの下部開口側から挿入して本体ケースの上面に載置するようにして取り付け可能な取付開口を本体ケース天板に形成したことを特徴とするものである。
【０００７】
さらに、前記取付開口周縁に一対の対向する挟持部を設け、この挟持部と本体ケース上面との間に前記取付板を挟持するようにしたことを特徴とするものである。
【０００８】
また、前記取付開口周縁に前記取付板を所定位置に位置決め規制する規制部を設けたことを特徴とするものである。
【０００９】
一方、前記取付板を前記取付開口周縁に下方からネジ等によって取り付けるための取付部を非対称位置に形成したことを特徴とするものである。
【００１０】
また、前記取付板の前記規制部側の端部に切込みを設けると共に、この切込みに嵌合するリブを前記規制部側に形成したことを特徴とするものである。
【００１１】
また、前記取付板を前記取付開口周縁に下方からネジ等によって取り付けるための取付部をファンの軸心から見てファンの外方に設けたことを特徴とするものである。
【００１２】
さらには、前記取付板には制御部品が取り付けられることを特徴とするものである。
【００１３】
【発明の実施の形態】
以下、本願発明に関する実施形態を図面を参照して詳細に説明する。
【００１４】
図１〜図９は、本願発明に関する一実施形態のダクト用換気扇の要部構成及び作用を示す図である。
【００１５】
本実施形態のダクト用換気扇１は、図８，図９に示すように、下方を開口する箱状の本体ケース２内に、モータ３によって駆動されるファン（シロッコファン）４と、このファン４の下側に吸気口５が形成されてファン４を囲繞するファンケーシング６とを設け、本体ケース２の下部開口７を吸気孔が形成されたグリル（図示せず）で覆い、本体ケース２の排気口８が形成された側面に、ダクト（図示せず）が接続されるダクト接合部９を有するダクト接続板１０を着脱自在に設け、図示しない天井に形成した開口から天井裏に突出して取り付けられている。
【００１６】
上記モータ３は、ファン４が取り付けられる回転軸１１を下側にして上下に突出するように、図４，図６，図７等に示す略正方形形状の取付板１２に取り付けられており、この取付板１２の上面側にはモータ３に隣接して、安全装置や電源部を含む制御部品１３が取り付けられている。
【００１７】
そして、本体ケース２の天板１４には、上記モータ３等が取り付けられた取付板１２を、本体ケース２の下部開口７側から挿入して本体ケース２の上面に載置するようにして取り付け可能な長方形形状の取付開口１５が形成されている。この長方形形状の取付開口１５の大きさは、図４〜図７等に示すように、長辺側が略正方形形状の取付板１２が通過可能な長さで、短辺側は略正方形形状の取付板１２よりも短くなるように形成されている。すなわち、長方形形状の取付開口１５の対向する長辺側の縁部に、略正方形形状の取付板１２の対向する２辺側が載置可能なように形成されている。なお、上記取付板１２を取付開口１５周縁の下面側にネジ止め固定することも考えられるが、モータ３が取り付けられた取付板１２を取付開口１５周縁の下面側に押し当てながらネジ止め固定しなければならないので、ネジ止め固定が大変であると共に、固定されたネジに常にモータ３等の荷重がかかるので、ネジがゆるみやすくなる。
【００１８】
一方、上記取付開口１５の短辺側の対向する２辺には、図５に示すような一対の対向する断面Ｌ字状の挟持片１６が形成されている。この挟持片１６は、モータ取付板１２の挿入時や移動時にはガイドとなると共に、取付板１２が所定の取付位置にある状態では本体ケース２上面との間に取付板１２を挟持するもので、取付板１２を安定した状態で取り付けることができるようになっている。
【００１９】
さらに、ダクト接続板１０側の本体ケース２上面には、モータ取付板１２の一辺側が当接することにより取付板１２を所定位置に位置決め規制する規制リブ１７が形成されている。
【００２０】
また、図６，図７に示すように、モータ取付板１２を取付開口１５周縁に下方からネジ１８によって取り付けるための取付部（ネジ孔）１９を、それぞれの側辺からのピッチＡとＢが異なる非対称位置に形成している。
【００２１】
上記構成において、モータ３等が取り付けられた取付板１２の本体ケース２への取り付け時には、先ずモータ取付板１２を本体ケース２の下部開口７側から挿入して、図１に示すように、モータ取付板１２を排気口８とは反対側が上になるように傾けて、排気口８とは反対側の取付開口１５縁部に斜めに挿入し、そこを支点に反対側を矢印方向に持ち上げて取付開口１５の挟持片１６に押し当てる。
【００２２】
次に、図２に示すように、モータ取付板１２を矢印方向（排気口８方向）に移動して、取付板１２の端部が規制リブ１７に当たるまでスライドさせる。これにより、取付板１２を所定の取付位置に容易に位置決めすることができる。
【００２３】
そして、図３に示すように、下方側からネジ１８により取付板１２を本体ケース２の天板１４に固定する。このネジ１８の取付部（ネジ孔）１９は、図７の底面図に示すようにファン４の軸心から見てファン４の外方に設けられているので、ファン４が邪魔することなく容易にネジ止め可能となる。また、ネジ１８の取付部（ネジ孔）１９，１９は、図６，図７に示すように、それぞれの側辺からのピッチＡとＢが異なる非対称位置に形成されているので、取付板１２を正規の方向から９０゜回転させた状態や１８０゜回転させた状態ではネジ１８の取付部（ネジ孔）１９同士が合わず、取り付けることができないため、取り付けミスを未然に防止することができる。
【００２４】
モータ取付板１２が固定できたら、図９に示すようにファンケーシング６をネジ２０により固定して、後は本体ケース２の下部開口７に図示しないグリルを取り付ければダクト用換気扇１の取り付けが完了する。
【００２５】
このように本実施形態によれば、ダクト用換気扇１を本体ケース２の下部開口７側の一方向から組み立てることができるので、組立性が向上する。
【００２６】
また、修理時の交換等のためモータ取付板１２を取り外す場合は、上記とは逆の手順で取付板１２を取り外すことにより、天井から本体ケース２を取り外すことなくモータ取付板１２を取り外すことができ、交換等をしてから前記図１〜図３に示したようにして再度取り付けることができる。従って、修理時の交換等も容易に行うことができる。
【００２７】
さらに、本実施形態においては、モータ取付板１２の上面側に制御部品１３が取り付けられているので、モータ３と一緒に制御部品１３の取り付けや取り外しも一度にできるので、更なる組立性の向上や修理時の交換等の容易化を図ることができる。
【００２８】
図１０，図１１は他の実施形態を示す構成図であり、前記実施形態と同一符号は同一又は相当部分を示している。
【００２９】
本実施形態においては、取付板１２の前記規制リブ１７側の端部に切込み２１を形成すると共に、この切込み２１に嵌合するリブ２２を規制リブ１７側に形成したものである。
【００３０】
これにより、取付板１２を正規の方向から９０゜回転させた状態や１８０゜回転させた状態では取付板１２側の切込み２１と規制リブ１７側の嵌合リブ２２が合わず、取り付けることができないため、取り付けミスを未然に防止することができる。
【００３１】
なお、前記実施形態同様、ネジ取付部１９も非対称位置に形成しているが、これだけでは、取り付けミスがネジ１８を締める時までわからない場合があり、本実施形態のように切込み２１と嵌合リブ２２を設けることにより、所定の取付位置に位置決めする時点で取り付けミスがわかるので、より効果的である。
【００３２】
【発明の効果】
以上のように本願発明によれば、モータを取り付けた取付板を、本体ケースの下部開口側から挿入して本体ケースの上面に載置するようにして取り付け可能な取付開口を本体ケース天板に形成したことにより、本体ケースの下部開口側の一方向から組み立てることができるので、組立性が向上する。また、修理時にモータを交換等する場合は、天井から本体ケースを取り外さなくても、取付板にモータが取り付けられた状態で取り外したり取り付けたりすることができるので、修理時の交換等も容易に行うことができる。
【００３３】
さらに、前記取付開口周縁に一対の対向する挟持部（挟持片１６）を設け、この挟持部と本体ケース上面との間に前記取付板を挟持するようにしたことにより、取付板を安定した状態で取り付けることができる。
【００３４】
また、前記取付開口周縁に前記取付板を所定位置に位置決め規制する規制部（規制リブ１７）を設けたことにより、取付板を所定の取付位置に容易に位置決めすることができる。
【００３５】
一方、前記取付板を前記取付開口周縁に下方からネジ等によって取り付けるための取付部を非対称位置に形成したことにより、取付板を正規の方向から９０゜回転させた状態や１８０゜回転させた状態では取付部同士が合わず、取り付けることができないため、取り付けミスを未然に防止することができる。
【００３６】
また、前記取付板の前記規制部側の端部に切込みを設けると共に、この切込みに嵌合するリブを前記規制部側に形成することにより、取付板を正規の方向から９０゜回転させた状態や１８０゜回転させた状態では取付板側の切込みと規制部側の嵌合リブが合わず、取り付けることができないため、取り付けミスを未然に防止することができる。また、所定の取付位置に位置決めする時点で取り付けミスがわかるので、より効果的である。
【００３７】
また、前記取付板を前記取付開口周縁に下方からネジ等によって取り付けるための取付部をファンの軸心から見てファンの外方に設けたことにより、ファンが邪魔することなく容易に取り付け可能となる。
【００３８】
また、前記取付板には制御部品が取り付けられるので、モータと一緒に制御部品の取り付けや取り外しも一度にできるため、更なる組立性の向上や修理時の交換等の容易化を図ることができる。
【図面の簡単な説明】
【図１】本願発明に関する一実施形態の構成及びモータ取付時の作用を示す縦断面図。
【図２】同じく、構成及びモータ取付時の作用を示す縦断面図。
【図３】同じく、構成及びモータ取付時の作用を示す縦断面図。
【図４】モータ取付完了時の上面図。
【図５】上記図４のＡ−Ａ断面図。
【図６】取付板にモータと共に取り付けられる制御部品を横断面で示した上面図。
【図７】モータ取付完了時の底面図。
【図８】ファンケーシング取付完了時の縦断面図。
【図９】同じく、ファンケーシング取付完了時の底面図。
【図１０】他の実施形態を示す図で、取付板にモータと共に取り付けられる制御部品を横断面で示した上面図。
【図１１】同じく、モータ取付完了時の底面図。
【符号の説明】
１  ダクト用換気扇
２  本体ケース
３  モータ
４  ファン
５  吸気口
６  ファンケーシング
７  下部開口
８  排気口
９  ダクト接合部
１０  ダクト接続板
１１  回転軸
１２  取付板
１３  制御部品
１４  天板
１５  取付開口
１６  挟持部（挟持片）
１７  規制部（規制リブ）
１８，２０  ネジ
１９  取付部（ネジ孔）
２１  切込み
２２  嵌合リブ
【図１】
2004286360.tif 000003
【図２】
2004286360.tif 000004
【図３】
2004286360.tif 000005
【図４】
2004286360.tif 000006
【図５】
2004286360.tif 000007
【図６】
2004286360.tif 000008
【図７】
2004286360.tif 000009
【図８】
2004286360.tif 000010
【図９】
2004286360.tif 000011
【図１０】
2004286360.tif 000012
【図１１】
2004286360.tif 000013